(57)【要約】【課題】運搬や設置が容易で、足場板のサイズや隙間の長さに合わせやすく、作業床との間に段差があっても隙間を生じさせない保全シートを提供する。【解決手段】隣接して並べられた複数枚の足場板１０，１０の間の隙間２を塞ぐ保全シートＡであって、ゴム製の帯状のシート部材１であり、シート部材１の長手方向に間隔をあけて切り目３が形成されている。シート部材１の幅方向両側部には、外側滑止めリブ２ａと内側滑止めリブ２ｂとが形成され、両リブ２ａ，２ｂで囲まれた部分には固縛用孔４が形成されている。シート部材が柔軟性を有しているので、巻取ってコンパクトにした状態で運搬ができ、取扱いが容易である。切り目３に沿って人手によってちぎることができるので、現場で必隙間長さに合わせた長さ調整が簡単に行える。【選択図】図１
2020007836.tif 000002
【特許請求の範囲】
【請求項１】
隣接して並べられた複数枚の足場板の間の隙間を塞ぐ保全シートであって、
柔軟性素材からなる帯状のシート部材であり、
該シート部材の長手方向に間隔をあけて切り目が形成されている
ことを特徴とする保全シート。
【請求項２】
前記シート部材の幅方向両側部において、
該シート部材の長手方向に延び、
かつ該シート部材の表裏両面から凸状に突起した滑止めリブが形成されている
ことを特徴とする請求項１記載の保全シート。
【請求項３】
前記滑止めリブが、
前記シート部材の両端部のそれぞれにおいて、
最外縁に設けた外側リブと該最外縁から内側へ寄った位置に形成した内側リブとが
互いに平行に形成されている
ことを特徴とする請求項２記載の保全シート。
【請求項４】
前記シート部材の幅方向両側部において、
外側滑止めリブと内側滑止めリブとで囲まれた部分に、
固縛用孔が形成されている
ことを特徴とする請求項３記載の保全シート。
【請求項５】
前記柔軟性素材がゴムである
ことを特徴とする請求項１記載の保全シート。
【発明の詳細な説明】
【技術分野】
【０００１】
本発明は、保全シートに関する。さらに詳しくは、本発明は、建築足場の隙間を塞ぐために使用される保全シートに関する。
【背景技術】
【０００２】
図８は建築現場の足場を示している。足場は複数の足場板１０とこれを支えるパイプ１１，１２から構成される。図では２枚の足場板１０，１０が幅方向に並べた一対が示されているが、実際には、足場板１０が長手方向に多数連接された状態で使用される。
【０００３】
足場板１０を支えるには、縦パイプ１１と横パイプ１２が用いられる。
縦パイプ１１が間隔をあけて垂直に立てられ、複数の縦パイプ１１，１１間に横パイプ１２が渡しかけて金具で固定される。足場板１０の短辺の両側にはフックが設けれられていて、このフックが横パイプ１２に引掛けられて足場板１０が設置される。
足場板１０，１０が２枚並列に設けられた場合、その長辺間には、隙間ｇが生じる。この隙間ｇは縦パイプ１１の直径よりやや大きいので、約１０ｃｍ位となる。
そして、この隙間ｇから、足場上での作業中に用いられる工具とかボルトやナットなどの小部品が落下する事故が生じていた。
【０００４】
足場からの小部品落下を防止するため、特許文献１，２の従来技術がある。
特許文献１の従来技術は、隣接する足場板における短辺間の隙間からの小部品落下を防ぐためのもので、足場板の短辺の両側に設けているフックに隙間埋めプレートが取り付けられるものである。
しかるに、この従来技術では、隣接する足場板の１０，１０間の長辺間の隙間ｇを埋めることはできないので、小部品の落下事故を完全に防ぐことはできなかった。
【０００５】
特許文献２記載の従来技術は、足場板の長辺間隙間を覆うための隙間プレートが開示されている。この隙間プレートは、隣接する足場板間の長辺側隙間を覆う大きさのプレート本体と、このプレート本体を足場板に固定するための係合手段からなる。
係合手段は、プレート本体の定位置に固定された固定係合部材と、プレート本体の幅方向と移動可能なボルトを含む可動係合部からなり、固定係合部材はプレート本体の下面に溶接で固定され、可動係合部材のボルトを案内するガイド部材もプレート本体の下面に溶接されている（同文献の段落００１４）。
プレート本体の足場板への取付けは、ボルトの締付けによって行われる。プレート本体は溶接可能な部材であるため金属製である。
【０００６】
上記特許文献２の従来技術によれば、足場板の長辺間の隙間を埋めることはできるが、プレート本体が金属製であることから、重く運搬設置が大変なこと、規格サイズ以外のものには合わせられないこと、隣接する作業床間に段差があるとプレート本体が傾斜してしまい、不安全であるなどの問題があった。
【先行技術文献】
【特許文献】
【０００７】
【特許文献１】特開２００５−９１２７号公報
【特許文献２】特開平１１−２６４２３９号公報
【発明の概要】
【発明が解決しようとする課題】
【０００８】
本発明は上記事情に鑑み、運搬や設置が容易で、足場板のサイズや隙間の長さに合わせやすく、作業床との間に段差があっても隙間を生じさせない保全シートを提供することを目的とする。
【課題を解決するための手段】
【０００９】
第１発明の保全シートは、隣接して並べられた複数枚の足場板の間の隙間を塞ぐ保全シートであって、柔軟性素材からなる帯状のシート部材であり、該シート部材の長手方向に間隔をあけて切り目が形成されていることを特徴とする。
第２発明の保全シートは、第１発明において、前記シート部材の幅方向両側部において、該シート部材の長手方向に延び、かつ該シート部材の表裏両面から凸状に突起した滑止めリブが形成されていることを特徴とする。
第３発明の保全シートは、第２発明において、前記滑止めリブが、前記シート部材の両端部のそれぞれにおいて、最外縁に設けた外側リブと該最外縁から内側へ寄った位置に形成した内側リブとが互いに平行に形成されていることを特徴とする。
第４発明の保全シートは、第３発明において、前記シート部材の幅方向両側部において、外側滑止めリブと内側滑止めリブとで囲まれた部分に、固縛用孔が形成されていることを特徴とする。
第５発明の保全シートは、第１発明において、前記柔軟性素材がゴムであることを特徴とする。
【発明の効果】
【００１０】
第１発明によれば、シート部材が柔軟性を有しているので、巻取ってコンパクトにした状態で運搬ができ、建設現場での取扱いが容易である。また、作業床との間に段差があったとしても、その作業床との間を滑らかにつないで隙間を無くすことができる。さらに、切り目に沿って人手によってちぎることができるので、現場で必隙間長さに合わせた長さ調整が簡単に行える。
第２発明によれば、足場板の上に置いたとき滑止めリブによって保全シートが動かないよう拘束できるので、足場板の間の隙間を塞いだままにできる。このため、小部品の落下事故を確実に防止できる。
第３発明によれば、シート部材の両端部とも、外側リブと内側リブを設けているので、滑止め効果が高く、使用中のズレ動きが生じにくい。また、必要な剛性を確保できるので作業員の足がのっても隙間に落ち込まない。
第４発明によれば、固縛用孔に針金を通してシート部材を足場板に固縛できるので、使用中のズレ落ちを確実に防止できる。
第５発明によれば、シート部材がゴム製できるので、巻取りも容易であり手でちぎることも容易に行える。
【図面の簡単な説明】
【００１１】
【図１】本発明の一実施形態に係る保全シートＡの斜視図である。
【図２】図１に示す保全シートＡの平面図である。
【図３】図２のIII−III線矢視拡大正面図である。
【図４】図２のIV−IV線拡大断面図である。
【図５】図２のＶ−Ｖ拡大断面図である。
【図６】図５のVI−VI線部分拡大図である。
【図７】本発明に係る保全シートＡの使用状態説明図である。
【図８】建築足場の説明図である。
【発明を実施するための形態】
【００１２】
つぎに、本発明の実施形態を図面に基づき説明する。
本実施形態の保全シートＡは図１に示すように、帯状であり、柔軟性のあるシート部材１から構成されている。
シート部材１は長さには制限がなく、後述するように適宜の長さに切って使用される。また、柔軟性のある素材を用いているので、クルクルと巻き取ることが可能であり、巻き取ってコンパクトにした状態で保管したり搬送ができる。そして使用に際しては簡単に巻き戻して平坦に延ばすことができる。
【００１３】
柔軟性のある素材としては、とくに制限なくどのような材料を用いてもよいが、ゴムを素材とすることが好ましい。ゴム製であれば、巻き取ったり巻き戻すために必要な柔軟性が得られ、また足場板１０の表面との摩擦が生じて勝手にズレ動くことがないからである。しかも、鋼材に比べ格段に軽量となる。さらに、耐久性があるので何度でも繰り返し使用することができる。
【００１４】
素材にゴムを用いる場合、エチレン・プロピレンゴムがより好ましい。エチレン・プロピレンゴムは加工性に優れ、安価で入手が容易だからである。
【００１５】
シート部材１の幅Ｗ（図２参照）は、図７に示す隙間ｇを塞ぎ、かつ隙間ｇの両側の足場板１０に載せる幅寸法であれば足りる。したがって、数値的に限定されるものではないが、２０〜５０ｃｍ位が好適であり、２５〜４０ｃｍがより好適である。
幅寸法Ｗが２０ｃｍを下廻ると隙間ｇに落ち込みやすくなり、幅寸法Ｗが５０ｃｍより広いと重たくなる。このため、幅寸法Ｗが２０〜５０ｃｍが隙間ｇを確実に塞ぎ重量化を防止できる意味で好ましい。そして、幅寸法Ｗが２５〜４０ｃｍであると、設置位置が多少ズレても隙間ｇを塞ぐことができ、かつ軽量化も達成できるので、より好ましい。
【００１６】
シート部材１の厚さｔ１（図３参照）は、１．５〜５ｍｍが好適であり、２．５〜４ｍｍがより好適である。厚さｔ１が１．５ｍｍを下廻ると、形状保持性が失われ隙間ｇに落ち込みやすくなり、５ｍｍより厚いと重くなりすぎる。このため、１．５〜５ｍｍが隙間ｇに落ち込まず、重量化を防止できる意味で好ましい。そして、厚さｔ１が２．５〜４ｍｍであると、隙間ｇ上に作業員の足が載っても落ち込みを防止でき、かつ軽量化も達成できるので、より好ましい。
【００１７】
図１〜図３に示すように、シート部材１の両端部のそれぞれにおいて、滑止めリブ２が形成されている。滑止めリブ２は、シート部材１の最外縁に設けた外側リブ２ａと最外縁から内側へ寄った位置に形成した内側リブ２ｂとからなり、両リブ２ａ，２ｂは互いに平行に形成されている。
また、外側リブ２ａと内側リブ２ｂの対からなる滑止めリブ２は、シート部材１の幅方向の両端部で同様に形成されている。
【００１８】
図３に示すように、外側リブ２ａも内側リブ２ｂも、シート部材１の表裏両面から上下に突出した肉厚部に形成されたものである。
両リブ２ａ，２ｂの厚さｔ２は、シート部材１の厚さｔ１より片面で１〜３ｍｍ位大きければ滑止め効果を発揮できる。ゆえに、表裏面で２〜６ｍｍ位、シート部材１の厚さｔ１よりも厚くなるものが好ましい。
このように厚さｔ２を厚くすることで、シート部材１に必要な剛性を確保でき、作業員の足がのっても隙間ｇに落ち込まないようにできる。
【００１９】
滑り止めリブ２におけるリブ２ａ，２ｂの幅寸法ｗ２は、厚さｔ２と同じ位でよい。
リブ２ａ，２ｂの断面形状は、図３に示すように、二つの楕円形が互いに接合した形でもよいが、一個の楕円形、あるいは四角形であってもよい。ただし、角ばっておらず丸みを帯びていることが、作業員に手傷を負わせないため好ましい。
滑り止めリブ２におけるリブ２ａ，２ｂの表裏両面は、平坦でもよいが、微少な凹凸や多状溝などが形成されていてもよい。その場合、足場板１０に対する摩擦力が高くなり滑りにくくなる。
【００２０】
図１〜図３に示すように、シート部材１には、長手方向において複数の間隔をあけて切り目３が形成されている。
この切り目３は、シート部材１の長手方向に対し直角な方向、すなわち幅方向に延び、一側縁から他側縁にかけて形成されている。
切り目３，３間の間隔は等間隔としておくことが好ましい。等間隔であれば、切り目３で切り取ったシート部材１の長さの見当が付けやすいからである。
切り目３，３間の間隔ｄ（図２参照）は１００〜１５０ｍｍが好ましい。この間隔ｄであると、足場板１０の長さに合わせやすいからである。
【００２１】
切り目３はシート部材１の表裏両側から内側に向けて形成されており、肉厚方向の中央部のみ残されている。この残された部分の厚さｔ３（図６参照）は、０．５〜１．５ｍｍ、好ましくは、０．８〜１．２ｍｍである。厚さｔ３が０．５〜１．５ｍｍの範囲であると、人の手で切り目３からちぎって、シート部材１の長さを自由に調整することができる。厚さｔ３が０．８〜１．２ｍｍであると、勝手にちぎれる事故も防げ、かつ軽い力でちぎれることが可能となる。
【００２２】
図１〜図３および図５に示すように、シート部材１の外側リブ２ａと内側リブ２ｂとで囲まれた部材には、固縛用孔４が形成されている。
図では、両リブ２ａ，２ｂで囲まれ、かつ切り目３で囲まれた領域に１個ずつ固縛用孔４が形成されているが、これに限られることはない。
切り目３で囲まれた領域の１マスおきに固縛用孔４を形成してもよい。
【００２３】
固縛用孔４は、針金等を通して、シート部材１を足場板１０に固縛するために用いられる。針金等を通しても孔が傷まないように、図５および図６に示すように、孔の周囲は肉厚部４ａより補強されている。
この固縛用孔４の内径は、針金等を通す作業が容易に行えればよい。寸法は、５〜１５ｍｍ位が好適であるが、この寸法に限られない。
【００２４】
本実施形態の保全シートＡは、図７に示すように、２枚の足場板１０，１０の長辺間の隙間ｇ上に置いて使用する。
この場合、つぎの効果を奏する。
（１）シート部材１が柔軟性を有しているので、巻取ってコンパクトにした状態で運搬ができ、建設現場での取扱いが容易である。
（２）作業床と足場板１０との間に段差があったとしても、その作業床との間を滑らかにつなぐことができ、作業員が作業しやすくなる。
（３）切り目３に沿って人手によってちぎることができるので、現場で必要な長さに合わせた長さ調整が簡単に行える。
（４）足場板１０の上に置いたとき滑止めリブ２によって保全シートＡが動かないよう規制できるので、足場板１０の間の隙間ｇを塞いだままにできる。このため、工具や資材などの小部品の落下事故を確実に防止できる。また、作業員が隙間ｇに足を取られることも無くなる。
（５）シート部材１の両端部とも、外側リブ２ａと内側リブ２ｂを設けているので、滑止め効果が高く、使用中のズレ落ちが生じにくい。かつ、保全シートＡに必要な剛性を与えることができる。
（６）固縛用孔４に針金を通してシート部材１を足場板１０に固縛できるので、使用中のズレ落ちを確実に防止できる。
（７）シート部材１がゴム製できるので、巻取りも容易であり手でちぎることも容易に行える。
【符号の説明】
【００２５】
１  シート部材
２  滑止めリブ
２ａ  外側リブ
２ｂ  内側リブ
３  切り目
４  固縛用孔
１０  足場板
Ａ  保全シート
【図１】
2020007836.tif 000003
【図２】
2020007836.tif 000004
【図３】
2020007836.tif 000005
【図４】
2020007836.tif 000006
【図５】
2020007836.tif 000007
【図６】
2020007836.tif 000008
【図７】
2020007836.tif 000009
【図８】
2020007836.tif 000010